(57)【特許請求の範囲】
【請求項１】
建物躯体の壁に形成された開口部に開口枠が取り付けられ、前記壁の表面に外装材が前記開口枠の外側に配置されるようにして設けられた建物の開口部構造において、
前記開口枠の外周側に矩形枠状の廻り縁が設けられ、
この廻り縁の下辺部が、前記開口枠の下側の前記壁の表面に取り付けられた第１ピースと、この第１ピースに着脱可能に取り付けられた第２ピースとを備え、
前記第１ピースは、開口枠下の漏水や結露水等の水を外部に排水する排水部を有し、前記開口枠の下側の前記壁に固定される固定部と、この固定部に突出して形成され、かつ、内部に前記外装材より外側位置で外部に開口する排水路が設けられた突出部とを備え、
前記排水部は、前記排水路と、前記突出部の上壁部に形成されて前記排水路に連通する排水穴とを有し、
前記第２ピースは、前記開口枠の下側の前記外装材の上端部を覆う覆い部を有することを特徴とする建物の開口部構造。
【請求項２】
請求項１に記載の建物の開口部構造において、
前記開口枠と前記第１ピースとの間にシーリング材が前記開口枠と前記第１ピースとの双方に密接して設けられていることを特徴とする建物の開口部構造。
【請求項３】
請求項１または２に記載の建物の開口部構造において、
前記第２ピースは、前記排水路の上下の壁部間に、当該壁部と所定の隙間をもって挿脱可能に挿入されていることを特徴とする建物の開口部構造。
【請求項４】
請求項１〜３のいずれか一項に記載の建物の開口部構造において、
前記固定部の上端部に、漏水や結露水等の水が前記開口枠の下側の前記壁へ回り込むのを防止する防水補強材が設けられていることを特徴とする建物の開口部構造。
【請求項５】
請求項４に記載の建物の開口部構造において、
前記防水補強材は、前記開口枠の下側の前記壁の上端部に設けられた止水プレートと、
この止水プレートの端部を前記固定部の上端部に接着する防水テープとを有することを特徴とする建物の開口部構造。
【請求項６】
請求項４に記載の建物の開口部構造において、
前記防水補強材は、前記固定部の上端部と前記開口枠の下側の前記壁の上端部とに接着された止水シートによって構成されていることを特徴とする建物の開口部構造。
【請求項７】
請求項５または６に記載の建物の開口部構造において、
前記防水補強材の少なくとも一部は前記開口枠と前記廻り縁の下辺部との隙間に設けられていることを特徴とする建物の開口部構造。
【請求項８】
請求項１〜７のいずれか一項に記載の建物の開口部構造において、
前記外装材は前記開口枠の外周側に複数並設されており、
これら複数の外装材のうち、少なくとも前記開口枠の下側の外装材がビスによって前記建物躯体に取り外し可能に取り付けられていることを特徴とする建物の開口部構造。
【発明の詳細な説明】
【技術分野】
【０００１】
本発明は、建物の開口部構造に関する。
【背景技術】
【０００２】
建物の開口部構造の一例として特許文献１および２に記載のものが知られている。
特許文献１に記載されている開口部構造では、壁部の開口部内に、鋼材よりなる開口枠が固定されている。この開口枠の内周縁と、当該開口枠内に設けられる外壁パネルの外周縁との間に防水材を介在させている。また、開口枠の下枠材は、床面上に埋め込みボルトを介して配設された固定板に掛止した状態で、床面と下枠材との間に防水モルタルを充填することにより、床面に対して固定されている。
また、特許文献２に記載されている開口部構造は、外壁材の裏側に設けられた通気層形成部材による通気層を介して建物外壁の開口部に取り付けられるサッシの上枠材に向かう水を、該上枠材に至らせることなく下方に排除して、前記サッシの周囲を経た屋内への漏水を防止するサッシ廻り排水構造である。
【先行技術文献】
【特許文献】
【０００３】
【特許文献１】特開２０１１−１８４９８６号公報
【特許文献２】特開２００６−３４２５８６号公報
【発明の概要】
【発明が解決しようとする課題】
【０００４】
ところが、上記従来の二つの例の建物の開口部構造では、サッシ枠（開口枠）下の漏水を考慮した排水の工夫がなされていない。
また、後者の従来の建物の開口部構造では、外装材とシーリングとが密着しているので、サッシ枠（開口枠）下の漏水の有無を確認するには、シーリングを撤去したうえで、外装材を取り外す必要があり、手間と費用がかかる。
【０００５】
本発明は上記事情に鑑みてなされたもので、サッシ枠等の開口枠下の漏水や結露水等の水を外部に排水することができるとともに、開口枠下の漏水の有無を容易に確認できる建物の開口部構造を提供することを課題としている。
【課題を解決するための手段】
【０００６】
上記課題を解決するために、請求項１に記載の発明は、例えば図１および図２に示すように、建物躯体の壁１０に形成された開口部１に開口枠２が取り付けられ、前記壁１０の表面に外装材３が前記開口枠２の外側に配置されるようにして設けられた建物の開口部構造において、
前記開口枠２の外周側に矩形枠状の廻り縁５が設けられ、
この廻り縁５の下辺部８が、前記開口枠２の下側の前記壁１０の表面に取り付けられた第１ピース１１と、この第１ピース１１に着脱可能に取り付けられた第２ピース１２とを備え、
前記第１ピース１１は、開口枠下の漏水や結露水等の水を外部に排水する排水部１５を有し、前記開口枠２の下側の前記壁１０に固定される固定部１１ａと、この固定部１１ａに突出して形成され、かつ、内部に前記外装材３より外側位置で外部に開口する排水路１３が設けられた突出部１１ｂとを備え、
前記排水部１５は、前記排水路１３と、前記突出部１１ｂの上壁部１１ｃに形成されて前記排水路１３に連通する排水穴１１ｆとを有し、
前記第２ピース１２は、前記開口枠２の下側の前記外装材３の上端部を覆う覆い部１２ｂを有することを特徴とする。
【０００７】
請求項１に記載の発明によれば、開口枠２の外周側に設けられた廻り縁５の下辺部８が、開口枠２の下側の壁１０の表面に取り付けられた第１ピース１１と、この第１ピース１１に着脱可能に取り付けられた第２ピース１２とを備え、第１ピース１１が、開口枠下の漏水や結露水等の水を外部に排水する排水部１５を有しているので、開口枠下の漏水や結露水等の水を容易に外部に排水することができる。
また、第２ピース１２が第１ピース１１に着脱可能に取り付けられているので、この第２ピース１２を取り外すことによって、開口枠２の下側の外装材３ａ（３ｄ）の上端部を露出させることができ、よって、この外装材３ａ（３ｄ）を容易に取り外して、開口枠下の漏水の有無を容易に確認できる。
また、開口枠下の漏水や結露水等の水は、突出部１１ｂの上壁部１１ｃから排水穴１１ｆに流入し、さらに、排水路１３を流れて外装材３より外側位置で外部に排出されるので、当該水を外部に容易かつ確実に排水することができる。
また、第１ピース１１を固定部１１ａによって壁１０に確実に固定できるので、第１ピース１１と第２ピース１２を有する廻り縁５の下辺部８を所定の位置に容易に位置決めして固定できる。
【０００８】
請求項２に記載の発明は、請求項１に記載の建物の開口部構造において、
前記開口枠２と前記第１ピース１１との間にシーリング材１６が前記開口枠２と前記第１ピース１１との双方に密接して設けられていることを特徴とする。
【０００９】
請求項２に記載の発明によれば、シーリング材１６が開口枠２と第１ピース１１との双方に密接して設けられているので、開口枠２と第１ピース１１との間からの雨水等の水の侵入を防止できるとともに、シーリング材１６を撤去することなく、第２ピース１２を取り外すことができるので、開口枠２の下側の外装材３ａ（３ｄ）を容易に取り外して、開口枠下の漏水の有無を容易に確認できる。
【００１２】
請求項３に記載の発明は、請求項１または２に記載の建物の開口部構造において、
前記第２ピース１２は、前記排水路１３の上下の壁部１１ｃ,１１ｄ間に、当該壁部１１ｃ,１１ｄと所定の隙間をもって挿脱可能に挿入されていることを特徴とする。
【００１３】
請求項３に記載の発明によれば、第２ピース１２が排水路１３の上下の壁部１１ｃ,１１ｄ間に挿脱可能に挿入されているので、第２ピース１２を容易に第１ピース１１から取り外すことができる。
また、第２ピース１２が排水路１３の上下の壁部１１ｃ,１１ｄと所定の隙間をもって挿入されているので、排水路１３を水がスムーズに流れて、外部に排出される。
【００１４】
請求項４に記載の発明は、請求項１〜３のいずれか一項に記載の建物の開口部構造において、
前記固定部１１ａの上端部に、漏水や結露水等の水が前記開口枠２の下側の前記壁１０へ回り込むのを防止する防水補強材２０が設けられていることを特徴とする。
【００１５】
請求項４に記載の発明によれば、開口枠２の下側の壁１０に固定される固定部１１ａの上端部に防水補強材２０が設けられているので、漏水や結露水等の水が当該壁１０へ回り込むのを防止できる。
【００１６】
請求項５に記載の発明は、請求項４に記載の建物の開口部構造において、
前記防水補強材２０は、前記開口枠２の下側の前記壁１０の上端部に設けられた止水プレート２１と、この止水プレート２１の端部を前記固定部１１ａの上端部に接着する防水テープ２２とを有することを特徴とする。
【００１７】
請求項５に記載の発明によれば、壁１０の上端部に設けられた止水プレート２１の端部が固定部１１ａの上端部に防水テープ２２によって接着されているので、止水プレート２１の端部と固定部１１ａの上端部との間からの水の侵入を確実に防止できる。
【００１８】
請求項６に記載の発明は、例えば図３に示すように、請求項４に記載の建物の開口部構造において、
前記防水補強材２０は、前記固定部１１ａの上端部と前記開口枠２の下側の壁１０の上端部とに接着された止水シート２３によって構成されていることを特徴とする。
【００１９】
請求項６に記載の発明によれば、固定部１１ａの上端部と壁１０の上端部とに止水シートが接着されているので、固定部の上端部と壁の上端部との間からの水の侵入を確実に防止できる。
【００２０】
請求項７に記載の発明は、請求項５または６に記載の建物の開口部構造において、
前記防水補強材２０の少なくとも一部は前記開口枠２と前記廻り縁５の下辺部８との隙間に設けられていることを特徴とする。
【００２１】
請求項７に記載の発明によれば、防水補強材２０の少なくとも一部が開口枠２と廻り縁５の下辺部８との隙間に設けられているので、この隙間からの水の侵入を確実に防止できる。
【００２２】
請求項８に記載の発明は、例えば図１および図４、図５に示すように、請求項１〜７のいずれか一項に記載の建物の開口部構造において、
前記外装材３は前記開口枠２の外周側に複数並設されており、
これら複数の外装材３のうち、少なくとも前記開口枠２の下側の外装材３ａ（３ｄ）がビス２５によって前記建物躯体に取り外し可能に取り付けられていることを特徴とする。
【００２３】
請求項８に記載の発明によれば、少なくとも開口枠２の下側の外装材３ａ（３ｄ）がビス２５によって建物躯体に取り外し可能に取り付けられているので、第２ピース１２を取り外した後、ビス２５を緩めて外すことによって、開口枠２の下側の外装材３ａ（３ｄ）を容易に取り外すことができ、その結果、開口枠下の漏水の有無を容易に確認できる。
【発明の効果】
【００２４】
本発明によれば、開口枠の外周側に設けられた廻り縁の下辺部の第１ピースが、開口枠下の漏水や結露水等の水を外部に排水する排水部を有しているので、開口枠下の漏水や結露水等の水を容易に外部に排水することができる。
また、第２ピースが第１ピースに着脱可能に取り付けられているので、この第２ピースを取り外すことによって、開口枠の下側の外装材の縁部を露出させることができるので、この外装材を容易に取り外して、開口枠下の漏水の有無を容易に確認できる。
【図面の簡単な説明】
【００２５】
【図１】本発明に係る建物の開口部構造の一例を示すもので、その正面図である。
【図２】同、開口枠下の開口部構造の一例を示す側断面図である。
【図３】同、開口枠下の開口部構造の他の例を示す側断面図である。
【図４】同、開口枠下の外装材の取付構造の一例を示す平断面図である。
【図５】同、開口枠下の外装材の取付構造の他の例を示す平断面図である。
【発明を実施するための形態】
【００２６】
以下、図面を参照して本発明に係る建物の開口部構造の実施の形態について説明する。
図１は、本実施の形態に係る建物の開口部構造を示す正面図であり、図１において、符号１は建物躯体の壁に形成された開口部を示す。
この開口部１は、正面視矩形状に形成されており、その内周縁部にはサッシ枠（開口枠）２が取り付けられている。サッシ枠２は上下の枠材２ａ,２ｂと左右の枠材２ｃ,２ｃを矩形枠状に組み立てることによって形成されている。
前記建物躯体の壁は建物の外側面の壁であり、当該壁の表面には、複数の外装材３がサッシ枠２の外側に配置されるようにして取り付けられている。なお、外装材３は胴縁４（図４参照）を介して壁に取り付けられており、この胴縁４によって、外装材３と壁との間には所定の隙間が形成されている。
【００２７】
前記サッシ枠２の外周側には廻り縁５がサッシ枠２と所定の隙間をもって設けられている。この廻り縁５は、矩形枠状のものであり、上辺部６、左右の側辺部７,７、下辺部８を矩形枠状に組み立てることによって形成されている。これら上辺部６、側辺部７,７、下辺部８はほぼ等しい横断面形状となっている。
下辺部８は、図２に示すように、建物躯体の壁１０の表面に取り付けられた第１ピース１１と、この第１ピース１１に着脱可能に取り付けられた第２ピース１２とを備えている。なお、壁１０は、木質の壁パネルによって構成されている。この壁パネルは、框材１０ａを矩形枠状に組み立ててなる枠体の両面に合板等からなる面材１０ｂを貼り付けて構成され、枠体の内部には必要に応じて補強桟材が縦横に組み付けられている。
【００２８】
前記第１ピース１１は、板金等によって形成されており、サッシ枠２の下枠材２ｂの長手方向（図２において紙面と直交する方向）に長尺なものである。また、第１ピース１１は、サッシ枠２の下側の壁１０に固定される固定部１１ａと、この固定部１１ａに突出して形成され、かつ、内部に外装材３より外側位置で外部に開口する排水路１３が設けられた突出部１１ｂとを備えている。
固定部１１ａは板状に形成されており、その上端部がサッシ枠２の下枠材２ｂの下面とほぼ等しい高さ位置になるようにして、前記壁１０の上端部表面に固定されている。なお、壁１０の表面と固定部１１ａとの間には、防水透湿シート１４が介在しており、固定部１１ａは防水透湿シート１４を挟んで壁１０の上端部表面に固定されている。
【００２９】
前記突出部１１ｂは、固定部１１ａの上端部から外側に向けて、固定部１１ａとほぼ直角に突出している上下２つの壁部１１ｃ,１１ｄによって構成されている。これら上壁部１１ｃと下壁部１１ｄとは所定の間隔で平行に配置されており、これら上下の壁部１１ｃ,１１ｄの間が排水路１３となっている。
また、上下の壁部１１ｃ,１１ｄの先端部は、サッシ枠２の下方に位置する外装材３の表面より外側に突出しており、下壁部１１ｄの先端には下方に延出する水切り１１ｅが形成されている。この水切り１１ｅは前記外装材３の上端部表面に当接しているか、若しくは当該上端部表面との間に若干の隙間をもって配置されている。
このようにして、突出部１１ｂの内部に排水路１３が設けられ、この排水路１３は前記外装材３より外側位置で外部に開口している。
【００３０】
また、前記突出部１１ｂの上壁部１１ｃの基端部（図２において右端部）には、排水穴１１ｆが形成されている。排水穴１１ｆは上壁部１１ｃの長手方向（図２において紙面と直交する方向）に所定間隔で複数形成されており、これら排水穴１１ｆは前記排水路１３に連通している。
また、前記サッシ枠２の下枠材２ｂは、先端が外装材３の表面より外側に突出する水切り２ｄを有しており、この水切り２ｄと第１ピース１１の上壁部１１ｃとの間にシーリング材１６が水切り２ｄと上壁部１１ｃとの双方に密接して設けられている。なお、シーリング材１６は上壁部１１ｃに形成されている排水穴１１ｆより先端位置で上壁部１１ｃに密接している。
そして、前記排水穴１１ｆと排水路１３とによって排水部１５が構成され、この排水部１５によってサッシ枠２の下枠材２ｂやシーリング材１６からの漏水や結露水等の水を外部に排水するようになっている。
【００３１】
前記第２ピース１２は、板金等によって形成されており、サッシ枠２の下枠材２ｂの長手方向（図２において紙面と直交する方向）に長尺なものである。また、第２ピース１２は横断面Ｌ字形に形成されており、その一片部１２ａは水平に配置され、他片部１２ｂは鉛直に配置されている。
一片部１２ａには、上下に張り出す張出部１２ｃ,１２ｃが形成されている。この張出部１２ｃ,１２ｃは、一片部１２ａにその長手方向（図２において紙面と直交する方向）に所定間隔で複数の切り込みを平行に入れ、隣り合う切り込みの間を上下に交互に打ち出して形成されたものである。
そして、一片部１２ａは上下の壁部１１ｃ,１１ｄの先端開口から上下の壁部１１ｃ,１１ｄ間、つまり排水路１３に挿脱可能に挿入されている。この状態において、上下の張出部１２ｃ,１２ｄは、上下の壁部１１ｃ,１１ｃに当接しており、これによって、一片部１２ａが排水路１３の上下の壁部１１ｃ,１１ｄ間に、当該壁部１１ｃ,１１ｄと所定の隙間をもって挿脱可能に挿入されている。
また、鉛直に配置された他片部１２ｂは、サッシ枠２の下側に位置する外装材３の上端部を覆う覆い部１２ｂとされている。
【００３２】
前記サッシ枠２の下枠材２ｂの下面には凹部が形成されており、この凹部に前記壁１０の上端部が挿入され、下枠材２ｂはビスによって壁１０の上端部に固定されている。
また、前記第１ピース１１の固定部１１ａの上端部に、漏水や結露水等の水が壁１０へ回り込むのを防止する防水補強材２０が設けられている。
すなわち、防水補強材２０は、サッシ枠２の下側の壁１０の上端部に設けられた止水プレート２１と、この止水プレート２１の端部を固定部１１ａの上端部に接着する防水テープ２２とによって構成されている。止水プレート２１は金属板や樹脂板等よって形成されたものであり、壁１０の上端面に当接されて当該上端面を覆う水平板２１ａと、この水平板２１ａの端部から垂下された鉛直板２１ｂとを有しており、鉛直板２１ｂの下端部は下枠材２ｂより下方に突出している。
また、固定部１１ａの上端部は、鉛直板２１ｂの下端部の内側（壁パネル１０側）に位置しており、鉛直板２１ｂの下端部が防水テープ２２によって固定部１１ａの上端部に接着されている。
さらに、防水補強材２０の少なくとも一部、すなわち、止水プレート２１の鉛直板２１ｂの下端部と防水テープ２２とは、サッシ枠２の下枠材２ｂと廻り縁５の下辺部８の上壁部１１ｃとの隙間に設けられている。
【００３３】
なお、防水補強材２０は、前記止水プレート２１と防水テープ２２によって構成されているが、これ以外の構成を採用してもよい。
例えば、図３に示すように、防水補強材２０を、前記固定部１１ａの上端部とサッシ枠２の下側に位置する壁１０の上端部とに接着された止水シート２３によって構成してもよい。止水シート２３は例えばＥＰＤＭ（エチレンプロピレンゴム）によって形成されたシート状のものであって、固定部１１ａの上端部と壁１０の上端部表面に水密に密着している。
【００３４】
図１に示すように、廻り縁５はサッシ枠２の外周側に当該サッシ枠２を囲むようにして設けられている。上述したように、廻り縁５は、上辺部６、左右の側辺部７,７、下辺部８を矩形枠状に組み立てることによって形成され、これら上辺部６、側辺部７,７、下辺部８はほぼ等しい横断面形状となっている。
上辺部６は、基本的には下辺部８を上下逆転したような構成となっているので、上辺部６の各構成部分の説明は省略する。但し、下辺部８では、上壁部１１ｃに排水穴１１ｆが形成されているが、上辺部６では、下辺部８で上壁部１１ｃとされていた壁部が下側に位置し、下辺部８で下壁部１１ｄとされていた壁部が上側に位置するので、この上側に位置する壁部に排水穴１１ｆを形成し、下側の位置する壁部には排水穴１１ｆを形成していない点が、下辺部８とは異なる。
また、側辺部７は、基本的には下辺部８を９０度回転したような構成となっているで、側辺部７の各構成部分の説明は省略する。但し、下辺部８では、上壁部１１ｃに排水穴１１ｆが形成されているが、側辺部７では、このような排水穴１１ｆを壁部に形成しない点が、下辺部８とは異なる。
【００３５】
上述したように、外装材３はサッシ枠２の外周側に複数並設されているが、これら複数の外装材３のうち、サッシ枠２の左右下側に位置する外装材３ａ,３ａがビス２５によって建物躯体に取り外し可能に取り付けられている。
例えば、図４に示すように、サッシ枠２の左右下側に位置する外装材３ａは、その両側端部に鍔部３ｂ,３ｂを有している。鍔部３ｂ,３ｂは外装材３ａの裏面側に形成されており、このため、隣り合う外装材３との間に凹溝２６が形成されている。
外装材３ａの鍔部３ｂは、建物躯体の壁１０に取り付けられた胴縁４に、止水テープ２７を介して当接されたうえで、ビス２５を鍔部３ｂを通して胴縁４にねじ込むことによって、当該胴縁４に取り付けられている。
一方、外装材３ａに隣り合う外装材３の側端部は胴縁４に止水テープ２７を介して当接されたうえで、接着剤２９によって胴縁４に固定されている。
また、前記凹溝２６には、乾式の定型目地２８が挿入され、これによって一次防水を構成している。
【００３６】
そして、外装材３ａは定型目地２８を凹溝２６から取り外したうえで、ビス２５を緩めて外すことによって、建物躯体の胴縁４から容易に取り外すことができ、その結果、サッシ枠下の漏水の有無を容易に確認できる。
【００３７】
また、サッシ枠２の左右下側に位置する外装材３ａ,３ａをビス２５によって建物躯体に取り外し可能に取り付ける別の構成としては、例えば図５に示すように、サッシ枠２の左右下側に位置する外装材３ｃの両側端部に上実部３ｄ,３ｄを形成する一方で、外装材３ｃに隣り合う外装材３の側端部に下実部３ｅを形成してもよい。
外装材３ｃは、その側端部を胴縁４に止水テープ２７を介して当接したうえで、ビス２５を外装材３ｃを通して胴縁４にねじ込むことによって、当該胴縁４に取り付けられている。
また、外装材３ｃに隣り合う外装材３の側端部は胴縁４に止水テープ２７を介して当接されたうえで、接着剤２９によって胴縁４に固定され、さらに、外装材３の下実部３ｅに外装材３ｃの上実部３ｄが重ねられ、これら下実部３ｅと上実部３ｄとの間にシール材３０が設けられている。
【００３８】
そして、外装材３ｃはビス２５を緩めて外すことによって、建物躯体の胴縁４から容易に取り外すことができ、その結果、サッシ枠下の漏水の有無を容易に確認できる。
【００３９】
本実施の形態によれば、サッシ枠２の外周側に設けられた廻り縁５の下辺部８が、サッシ枠２の下側の壁１０の表面に取り付けられた第１ピース１１と、この第１ピース１１に着脱可能に取り付けられた第２ピース１２とを備え、第１ピース１１が、サッシ枠下の漏水や結露水等の水を外部に排水する排水部１５を有しているので、サッシ枠下の漏水や結露水等の水を容易に外部に排水することができる。
また、第２ピース１２が第１ピース１1に着脱可能に取り付けられているので、この第２ピース１１を取り外すことによって、サッシ枠２の下側に位置する外装材３ａの上端部を露出させることができるので、この外装材３ａを容易に取り外して、サッシ枠下の漏水の有無を容易に確認できる。
【００４０】
また、シーリング材１６がサッシ枠２と第１ピース１１の上壁部１１ｃとの双方に密接して設けられているので、サッシ枠２と第１ピース１１との間からの雨水等の水の侵入を防止できるとともに、シーリング材１６を撤去することなく、第２ピース１２を取り外すことができるので、サッシ枠の下側に位置する外装材３ａを容易に取り外して、サッシ枠下の漏水の有無を容易に確認できる。
さらに、サッシ枠２の下枠材２ｂからの漏水や結露水等の水は、突出部１１ｂの上壁部１１ｃから排水穴１１ｆに流入し、さらに、排水路１３を流れて外装材３より外側位置で外部に排出されるので、当該水を外部に容易かつ確実に排水することができる。
また、第１ピース１１を固定部１１ａによって壁１０に確実に固定できるので、第１ピース１１と第２ピース１２を有する廻り縁５の下辺部８を所定の位置に容易に位置決め固定できる。
【００４１】
加えて、第２ピース１２が排水路１３の上下の壁部１１ｃ,１１ｄ間に挿脱可能に挿入されているので、第２ピース１２を容易に第１ピース１１から取り外すことができる。
また、第２ピース１２が排水路１３の上下の壁部１１ｃ,１１ｄと所定の隙間をもって挿入されているので、排水路１３を水がスムーズに流れて、外部に排出される。
また、サッシ枠２の下側の壁１０に固定される固定部１１ａの上端部に防水補強材２０が設けられているので、漏水や結露水等の水が壁１０へ回り込むのを防止できる。
さらに、サッシ枠２の下側の壁１０に設けられた止水プレート２１の端部が固定部１１ａの上端部に防水テープ２２によって接着されているので、止水プレート２１の端部と固定部１１ａの上端部との間からの水の侵入を確実に防止できる。
また、固定部１１ａの上端部と壁１０の上端部とに止水シート２３が接着されているので、固定部の上端部と壁１０の上端部との間からの水の侵入を確実に防止できる。
また、  防水補強材２０の少なくとも一部、すなわち、止水プレート２１の鉛直板２１ｂの下端部と防水テープ２２とは、サッシ枠２の下枠材２ｂと廻り縁５の下辺部８の上壁部１１ｃとの隙間に設けられているので、この隙間からの水の侵入を確実に防止できる。
また、サッシ枠２の下側に位置する外装材３ａ,３ｃがビス２５によって胴縁４に取り外し可能に取り付けられているので、第２ピース１２を取り外した後、ビス２５を緩めて外すことによって、サッシ枠２の下側に位置する外装材３ａ,３ｃを容易に取り外すことができ、その結果、サッシ枠下の漏水の有無を容易に確認できる。
【００４２】
なお、本実施の形態では、建物躯体の壁として木質の壁パネルを例にとって説明したが、建物躯体の壁は、壁パネルに限ることなく、例えば、軸組の柱間に設けられる壁や、その他の壁であってもよい。
【符号の説明】
【００４３】
１  開口部
２  サッシ枠（開口枠）
３,３ａ,３ｄ  外装材
５  廻り縁
８  下辺部
１０  壁
１１  第１ピース
１１ａ  固定部
１１ｂ  突出部
１１ｃ  上壁部
１１ｄ  下壁部
１１ｆ  排水穴
１２  第２ピース
１２ａ  一片部
１２ｂ  他片部（覆い部）
１３  排水路
１５  排水部
１６  シーリング材
２０  防水補強部材
２１  止水プレート
２２  防水テープ
２３  止水シート
２５  ビス
【図１】
0005968618.tif 000002
【図２】
0005968618.tif 000003
【図３】
0005968618.tif 000004
【図４】
0005968618.tif 000005
【図５】
0005968618.tif 000006